(57)【要約】  ハンドヘルドコンピュータ装置と係合して、ハンドヘルドコンピュータ装置上のカメラが眼の高品質画像を撮影することを可能にするように構成されたアダプタ。アダプタは、眼の前方部分と眼の後方部分の高品質撮像を可能にする。アダプタは、光学経路筐体やビームスプリッタモジュールなどの追加のモジュール構成要素を含みうる。
2018528483.tif 000002
【特許請求の範囲】
【請求項１】
光学軸を有するカメラを備えたハンドヘルドコンピュータ装置と係合するように構成されたアダプタであって、
前方アダプタ部分であって、本体と、前記ハンドヘルドコンピュータ装置と第１位置及び第２位置で係合するように構成されたクランプと、前記カメラの前記光学軸内の第１位置と前記カメラの前記光学軸外の第２位置の間で移動可能なマクロレンズと係合されたレンズホルダと、マクロレンズ光学軸に平行な光軸を有する調整可能光源と、前記ハンドヘルドコンピュータ装置と第３の位置で摺動可能に係合するように構成された第３の係合面と、後方部分のベース区間と可逆的に係合するように構成された前記本体の相補面とを有し、前記クランプが、軸を規定し、前記前方アダプタ部分の前記本体が、前記クランプの前記軸に沿って移動するように構成された前方アダプタ部分を有し、
前記後方部分が、前記前方アダプタ部分の前記本体の前記相補面と可逆的に係合するように構成された前記ベース区間と、前記ベース区間に対して移動可能なテレスコープ区間と、前記テレスコープ区間の遠位端と係合され、検眼レンズと取外し可能に係合するように構成されたレンズホルダとを有し、前記ベース区間が、前記前方アダプタ部分の前記本体と取外し可能に係合して、前記検眼レンズと前記ハンドヘルドコンピュータ装置の前記カメラとの間で光学軸を形成するように構成された、アダプタ。
【請求項２】
前記後方部分の前記テレスコープ区間及びレンズホルダと係合されたレンズホルダヒンジを更に備え、前記レンズホルダヒンジが、前記カメラの前記光学軸内の第１位置と前記カメラの前記光学軸外の第２位置との間で前記レンズホルダを移動させるように適応された、請求項１に記載のアダプタ。
【請求項３】
前記第２位置が、前記テレスコープ区間と面一に折り畳まれたレンズホルダを有する、請求項２に記載のアダプタ。
【請求項４】
前記アダプタが、前記レンズホルダと前記カメラの間に開放光学経路を有する、請求項１乃至３のいずれかに記載のアダプタ。
【請求項５】
前記第３の係合面が、前記ハンドヘルドコンピュータ装置と第３の位置で摺動可能に係合するように構成された半円又はフック形状を有する、請求項１乃至４のいずれかに記載のアダプタ。
【請求項６】
前記第３の係合面が、前記前方アダプタの前記本体の表面を前記ハンドヘルドコンピュータ装置の表面に対して保持するように適応された、請求項５に記載のアダプタ。
【請求項７】
前記後方部分と取り外し可能に係合するように構成された取外し式筐体を更に備えた、請求項１乃至６のいずれかに記載のアダプタ。
【請求項８】
前記取外し式筐体が、前記後方部分と係合する締付け機構を含む、請求項７に記載のアダプタ。
【請求項９】
前記取外し式筐体が、更に、前記取外し式カバーの長さを調整するように構成されたテレスコープ区間を備えた、請求項７又は請求項８に記載のアダプタ。
【請求項１０】
前記取外し式筐体が、更に、前記ハンドヘルドコンピュータ装置の前記カメラ及び前記前方アダプタ部分の前記光源に対応する開口を有する近位部分と、前記レンズホルダと係合する遠位部分とを備えた、請求項７乃至９のいずれかに記載のアダプタ。
【請求項１１】
前記取外し式筐体が、前記カメラと前記レンズホルダの間に光学経路を収容するように適応された、請求項７乃至１０のいずれかに記載のアダプタ。
【請求項１２】
前記レンズホルダと係合された検眼レンズを更に含み、前記検眼レンズが倒像検眼法用に構成された、請求項１乃至１１のいずれかに記載のアダプタ。
【請求項１３】
前記検眼レンズが、１０Ｄ乃至９０Ｄの範囲内のレンズである、請求項１２に記載のアダプタ。
【請求項１４】
前記マクロレンズが、前記マクロレンズの前記光学軸に直角な主平面を有し、前記マクロレンズが、前記主平面内に非円形断面プロファイルを有する、請求項１乃至１３に記載のアダプタ。
【請求項１５】
前記調整可能光源が、前記前方アダプタの前記本体と一体であり、前方アダプタ内の電源によって電力供給される、請求項１乃至１４のいずれかに記載のアダプタ。
【請求項１６】
前記光源が、発光ダイオード（ＬＥＤ）を含む、請求項１乃至１５のいずれかに記載のアダプタ。
【請求項１７】
光拡散板を更に備えた、請求項１乃至１６のいずれかに記載のアダプタ。
【請求項１８】
前記光源の特性を調整するように構成された前記前方アダプタ部分上の光源操作部を更に備えた、請求項１乃至１７のいずれかに記載のアダプタ。
【請求項１９】
前記光源操作部が、ダイヤルを有する、請求項１７に記載のアダプタ。
【請求項２０】
前記クランプが、前記ハンドヘルドコンピュータ装置の前記第１位置と係合するように構成された第１面と、前記ハンドヘルドコンピュータ装置の前記第２位置と係合するように構成された第２面とを有する、請求項１乃至１９のいずれかに記載のアダプタ。
【請求項２１】
前記第１面及び第２面が、前記ハンドヘルドコンピュータ装置の両面である、請求項２０に記載のアダプタ。
【請求項２２】
前記前方本体を前記クランプの前記軸に対して位置決めするように構成された前記前方アダプタ部分上の前方ロック機構を更に備えた、請求項１乃至２１に記載のアダプタ。
【請求項２３】
前記前方ロック機構が、前記クランプの前記軸の長さを固定するように適応された、請求項２２に記載のアダプタ。
【請求項２４】
前記前方ロック機構が、前記クランプの前記第１面を前記クランプの前記第２面に対して固定するように構成された、請求項２３に記載のアダプタ。
【請求項２５】
前記テレスコープ区間を前記ベース区間に対して固定するように構成された後方ロック機構を更に備えた、請求項１乃至２４のいずれかに記載のアダプタ。
【請求項２６】
前記レンズホルダを前記テレスコープ区間の軸に対して固定するように構成されたレンズホルダロック機構を更に備えた、請求項１乃至２５のいずれかに記載のアダプタ。
【請求項２７】
前記ロック機構が、蝶ねじを含む、請求項２２乃至２６のいずれかに記載のアダプタ。
【請求項２８】
前記前方アダプタ部分の前記本体内にバッテリ室を更に備えた、請求項１乃至２７のいずれかに記載のアダプタ。
【請求項２９】
前記クランプが、ばね加圧された、請求項１乃至２８のいずれかに記載のアダプタ。
【請求項３０】
前記クランプが、圧縮力を前記第１及び第２位置に加えるように構成された、請求項１乃至２９のいずれかに記載のアダプタ。
【請求項３１】
前方アダプタと取り外し可能に係合するように構成されたビームスプリッタモジュールを更に備え、前記ビームスプリッタモジュールが、前記前方アダプタと係合されたとき、前記調整可能光源からの光を前記カメラの前記光学軸と共軸で導くように構成された、請求項１乃至３０のいずれかに記載のアダプタ。
【請求項３２】
前記ビームスプリッタが、前記調整可能光源からの光を前記カメラの前記光学軸と共軸で反射させるミラーを備えた、請求項３１に記載のアダプタ。
【請求項３３】
前記ビームスプリッタモジュールが、更に、前記ビームスプリッタモジュールが前記前方アダプタ部分と係合されたときに前記調整可能光源の前記光学経路内にある偏光フィルタと、前記ビームスプリッタモジュールが前記前方アダプタ部分と係合されたときに前記カメラの前記光学経路内にある偏光フィルタとを備えた、請求項３１又は請求項３２に記載のアダプタ。
【請求項３４】
前記前方アダプタと取外し可能に係合し、前記光源によって放射された前記光を矩形スリット形状に屈折させフィルタリングするように構成されたスリットビームモジュールを更に含む、請求項１乃至３３のいずれかに記載のアダプタ。
【請求項３５】
前記前方アダプタ部分が前記ハンドヘルドコンピュータ装置と係合されたときに、前記ＬＥＤ及び／又は前記カメラレンズの上に位置決めされるように適応されたコバルトブルーフィルタを更に備えた、請求項１乃至３４のいずれかに記載のアダプタ。
【請求項３６】
前記ハンドヘルドコンピュータ装置が、スマートフォン、タブレットコンピュータ又は携帯撮像装置である、請求項１乃至３５のいずれかに記載のアダプタ。
【請求項３７】
前記第３の係合構造物が、前記前方アダプタ部分と取外し可能に係合するように構成された、請求項１乃至３６のいずれかに記載のアダプタ。
【請求項３８】
前記第３の係合構造物が、更に、前記ハンドヘルドコンピュータ装置と係合するように構成された調整可能な係合機構を備えた、請求項３７に記載のアダプタ。
【請求項３９】
前記調整可能な係合機構が、更に、蝶ねじとハンドヘルドコンピュータ係合面を備えた、請求項３８に記載のアダプタ。
【請求項４０】
前記調整可能な係合機構が、更に、ばね、ハンドヘルドコンピュータ係合面、及び解放レバーを備えた、請求項３８に記載のアダプタ。
【請求項４１】
前記前方アダプタ部分と取外し可能に係合されて前記調整可能光源を修正するように構成された光成形モジュールを更に備えた、請求項１乃至４０のいずれかに記載のアダプタ。
【請求項４２】
前記光成形モジュールが、複数の光成形構造物を備えた、請求項４１に記載のアダプタ。
【請求項４３】
前記光成形モジュールが、第１のアパーチャ、第１のアパーチャより大きい第２のアパーチャ、細隙灯、及び青色フィルタを備えた、請求項４２に記載のアダプタ。
【請求項４４】
前記テレスコープ区間が、閉鎖光学経路を有する、請求項１乃至４３のいずれかに記載のアダプタ。
【請求項４５】
前記ベース区間が、前記前方アダプタ部分と係合する磁石を備える、請求項１乃至４４のいずれかに記載のアダプタ。
【請求項４６】
患者の眼の画像を取得する方法であって、
前方アダプタ部分を、カメラを有するハンドヘルドコンピュータ装置に取り付けるステップであって、前記前方アダプタが、本体と、前記ハンドヘルドコンピュータ装置と第１位置と第２位置で係合するように構成されたクランプと、前記カメラの光学軸内の第１位置と前記カメラの光学軸外の第２位置の間で移動可能なマクロレンズと係合されたレンズホルダと、マクロレンズ光学軸に平行な光軸を有する調整可能光源と、前記ハンドヘルドコンピュータ装置と第３の位置で摺動可能に係合するように構成された第３の係合面と、後方部分のベース区間と可逆的に係合するように構成された前記本体の相補面とを備え、前記クランプが、軸を定義し、前記前方アダプタ部分の前記本体が、前記クランプの前記軸に沿って移動するように構成されたステップと、
前記前方アダプタの前記本体の位置を前記クランプの軸に対して調整して、前記マクロレンズ光学軸を前記ハンドヘルドコンピュータ装置の前記カメラの前記光学軸と合わせるステップと、
前記マクロレンズと前記調整可能光源を使用して、前記ハンドヘルドコンピュータ装置の前記カメラによって前記患者の前記眼の画像を取得するステップと、
前記後方部分の前記ベース区間を前記前方アダプタ部分の前記本体の前記相補面と係合させることによって、後方部分を前記前方アダプタ部分に係合させるステップであって、前記後方部分が、前記ベース区間に対して移動可能なテレスコープ区間と、前記テレスコープ区間の遠位端と係合されて、検眼レンズと取り外し可能に係合するように構成されたレンズホルダとを備え、前記ベース区間が、前記前方アダプタ部分の前記本体と取り外し可能に係合されて、前記検眼レンズと前記ハンドヘルドコンピュータ装置の前記カメラとの間に光学軸を形成するように構成されたステップと、
前記ハンドヘルドコンピュータ装置の前記カメラと前記検眼レンズとによって前記患者の前記眼の画像を取得するステップとを含む方法。
【請求項４７】
前記クランプの軸に対する前記前方アダプタの前記本体の位置を調整して、前記マクロレンズ光学軸を前記ハンドヘルドコンピュータ装置の前記カメラの前記光学軸と合わせた後で、前記前方アダプタの前記本体の位置をロックするステップを更に含む、請求項４６に記載の方法。
【請求項４８】
前記ハンドヘルドコンピュータ装置の前記カメラと検眼レンズとによって前記患者の前記眼の画像を取得する前に前記検眼レンズを前記レンズホルダと係合させるステップを更に含む、請求項４６又は４７に記載の方法。
【請求項４９】
取外し式カバーを前記後方部分と係合させて、前記検眼レンズと前記ハンドヘルドコンピュータ装置の前記カメラとの間に光学経路を収容するステップを更に含む、請求項４８に記載の方法。
【請求項５０】
前記前方アダプタ部分の前記調整可能光源を調整して、前記患者の前記眼を所望の量の光で照明するステップを更に含む、請求項４６乃至４９のいずれかに記載の方法。
【請求項５１】
ビームスプリッタモジュールを前記前方アダプタと係合させるステップを更に含み、前記ビームスプリッタモジュールが、前記前方アダプタと取り外し可能に係合するように構成され、前記ビームスプリッタモジュールが、前記前方アダプタと係合されたとき、前記調整可能光源からの光を前記カメラの前記光学軸と共軸で導くように構成された、請求項４６乃至５０のいずれかに記載の方法。
【請求項５２】
前記患者の前記眼の直像検眼法画像を、前記ハンドヘルドコンピュータ装置の前記カメラと前記ビームスプリッタモジュールによって取得するステップを更に含む、請求項５１に記載の方法。
【請求項５３】
スリットビームモジュールを前記前方アダプタと係合するステップを更に含み、前記スリットビームモジュールが、前記前方アダプタ部分と取り外し可能に係合するように構成された、請求項４６乃至５２のいずれかに記載の方法。
【請求項５４】
前記患者の前記眼の画像を前記スリットビームモジュールによって取得するステップを更に含む、請求項５３に記載の方法。
【請求項５５】
前記ハンドヘルドコンピュータ装置が、スマートフォン、タブレットコンピュータ又は携帯撮像装置である、請求項４６乃至５４のいずれかに記載の方法。
【発明の詳細な説明】
【技術分野】
【０００１】
関連出願の相互参照
本出願は、２０１５年６月１８日に出願され、「ハンドヘルドコンピュータを使用する網膜撮像用アダプタ（ADAPTER FOR RETINAL IMAGING USING A HAND HELD COMPUTER）」と題する米国仮特許出願第６２／１８１，５４７号の利益を請求し、参照によりその全体が本明細書に組み込まれる。
【０００２】
本明細書で述べる全ての出版物及び特許出願は、それぞれ個々の出版物又は特許出願が参照により組み込まれることが明確かつ個別に示された場合と同一程度に、参照によりその全体が本明細書に組み込まれる。
【０００３】
本出願は、一般に、検眼鏡及び網膜撮像の分野に関する。
【背景技術】
【０００４】
特許文献１と特許文献２に開示されたものを含む網膜撮像用の種々のスマートフォンアダプタが知られている。しかしながら、ハンドヘルドコンピュータ装置と共に使用する為の、軽量、頑丈及び低コストなパッケージで信頼性と有用性を改善したアダプタが必要とされている。
【先行技術文献】
【特許文献】
【０００５】
【特許文献１】米国特許第２０１２／０３２０３４０号
【特許文献２】国際公開第２０１４／１９４１８２号
【発明の概要】
【課題を解決するための手段】
【０００６】
本発明は、網膜撮像の為にハンドヘルドコンピュータ装置と係合するように構成されたアダプタに関する。
【０００７】
一般に、一実施形態では、本体と、ハンドヘルドコンピュータ装置と第１位置と第２位置で係合するように構成されたクランプと、カメラの光学軸内の第１位置とカメラの光学軸外の第２位置の間で移動可能なマクロレンズと係合されたレンズホルダと、マクロレンズ光学軸に平行な光軸を有する調整可能光源と、ハンドヘルドコンピュータ装置と第３の位置で摺動可能に係合するように構成された第３の係合面と、後方部分のベース区間と可逆的に係合するように構成された本体の相補面とを含む前方アダプタ部分とを含む、光学軸を有するカメラを備えたハンドヘルドコンピュータ装置と係合するように構成されたアダプタであって、クランプが、軸を規定し、前方アダプタ部分の本体が、クランプの軸に沿って移動するように構成され、後方部分が、前方アダプタ部分の本体の相補面と可逆的に係合するように構成されたベース区間と、ベース区間に対して移動可能なテレスコープ区間と、検眼レンズと取り外し可能に係合するように構成されたテレスコープ区間の遠位端と係合されたレンズホルダとを含み、ベース区間が、前方アダプタ部分の本体と取外し可能に係合して、検眼レンズとハンドヘルドコンピュータ装置のカメラとの間に光学軸を形成するように構成される。
【０００８】
以上その他の実施形態は、以下の特徴の１つ以上を含みうる。アダプタは、更に、後方部分のテレスコープ区間及びレンズホルダと係合されたレンズホルダヒンジを含みうる。レンズホルダヒンジは、レンズホルダをカメラの光学軸内の第１位置とカメラの光学軸外の第２位置の間で移動させるように適応されうる。第２位置は、テレスコープ区間と面一に折り畳まれたレンズホルダを含みうる。アダプタは、レンズホルダとカメラの間に開放光学経路を有しうる。第３の係合面は、ハンドヘルドコンピュータ装置と第３の位置で摺動可能に係合するように構成された半円形又はフック形状を有しうる。第３の係合面は、前方アダプタの本体の表面をハンドヘルドコンピュータ装置の表面に対して保持するように適応されうる。アダプタは、更に、後方部分と取り外し可能に係合するように構成された取外し式筐体を含みうる。取外し式筐体は、後方部分と係合する締め付け機構を含みうる。取外し式筐体は、更に、取外し式カバーの長さを調整するように構成されたテレスコープ区間を含みうる。取外し式筐体は、更に、ハンドヘルドコンピュータ装置のカメラと前方アダプタ部分の光源に対応する開口を有する近位部分と、レンズホルダと係合する遠位区分とを有する。取外し式筐体は、カメラとレンズホルダとの間に光学経路を収容するように適応されうる。アダプタは、更に、レンズホルダと係合された検眼レンズを有することができ、検眼レンズは、倒像検眼法用に構成される。検眼レンズは、１０Ｄ乃至９０Ｄの範囲のレンズでよい。マクロレンズは、マクロレンズの光学軸に直角な主平面を有しうる。マクロレンズは、主平面内に非円形断面プロファイルを有しうる。調整可能光源は、前方アダプタの本体と一体化し、前方アダプタ内の電源によって電力供給されうる。光源は、発光ダイオード（ＬＥＤ）を含みうる。アダプタは、更に、光拡散板を含みうる。アダプタは、更に、前方アダプタ部分上に光源の特性を調整するように構成された光源操作部を含みうる。光源操作部は、ダイヤルを含みうる。クランプは、ハンドヘルドコンピュータ装置の第１位置と係合するように構成された第１面と、ハンドヘルドコンピュータ装置の第２位置と係合するように構成された第２面とを含みうる。第１面と第２面は、ハンドヘルドコンピュータ装置の反対側にあってもよい。アダプタは、更に、前方アダプタ部分上に、クランプの軸に対して前方本体を位置決めするように構成された前方ロック機構を有しうる。前方ロック機構は、クランプの軸の長さを固定するように適応されうる。前方ロック機構は、クランプの第１面をクランプの第２面に対して固定するように構成されうる。アダプタは、更に、テレスコープ区間をベース区間に対して固定するように構成された後方ロック機構を含みうる。アダプタは、更に、レンズホルダをテレスコープ区間の軸に対して固定するように構成されたレンズホルダロック機構を含みうる。ロック機構は、蝶ねじを含みうる。アダプタは、更に、前方アダプタ部分の本体内にバッテリ室を含みうる。クランプは、ばね加圧されうる。クランプは、圧縮力を第１と第２位置に加えるように構成されうる。アダプタは、更に、前方アダプタと取り外し可能に係合するように構成されたビームスプリッタモジュールを含みうる。ビームスプリッタモジュールは、前方アダプタと係合されたとき、調整可能光源からの光をカメラの光学軸と共軸で導くように構成されうる。ビームスプリッタは、調整可能光源からの光をカメラの光学軸と共軸で反射させるミラーを含みうる。ビームスプリッタモジュールは、更に、ビームスプリッタモジュールが前方アダプタ部分と係合されたときに調整可能光源の光学経路内にある偏光フィルタと、ビームスプリッタモジュールが前方アダプタ部分と係合されたときにカメラの光学経路内にある偏光フィルタとを含みうる。アダプタは、更に、前方アダプタと取り外し可能に係合するように構成され、光源によって放射された光を矩形スリット形状に屈折させフィルタリングするスリットビームモジュールを含みうる。アダプタは、更に、前方アダプタ部分がハンドヘルドコンピュータ装置と係合されたときに、ＬＥＤ及び／又はカメラレンズの上に位置決めされるように適応されたコバルトブルーフィルタを含みうる。ハンドヘルドコンピュータ装置は、スマートフォン、タブレットコンピュータ、又は携帯撮像装置でよい。第３の係合構造物は、前方アダプタ部分と取り外し可能に係合するように構成されうる。第３の係合構造物は、更に、ハンドヘルドコンピュータ装置と係合するように構成された調整可能な係合機構を含みうる。調整可能な係合機構は、更に、蝶ねじとハンドヘルドコンピュータ係合面を含みうる。調整可能な係合機構は、更に、ばね、ハンドヘルドコンピュータ係合面及び解放レバーを含みうる。アダプタは、更に、前方アダプタ部分と取り外し可能に係合されて調整可能光源を修正するように構成された光成形モジュールを含みうる。光成形モジュールは、複数の光成形構造物を含みうる。光成形モジュールは、第１のアパーチャ、第１のアパーチャより大きい第２のアパーチャ、細隙灯、及び青色フィルタを含みうる。テレスコープ区間は、閉鎖光学経路を有しうる。ベース区間は、前方アダプタ部分と係合する為に磁石を含みうる。
【０００９】
一般に、一実施形態では、患者の眼の画像を取得する方法であって、方法は、カメラを備えたハンドヘルドコンピュータ装置に前方アダプタ部分を取り付けるステップであって、前方アダプタが、本体と、ハンドヘルドコンピュータ装置と第１位置及び第２位置で係合するように構成されたクランプと、カメラの光学軸内の第１位置とカメラの光学軸外の第２位置の間で移動可能なマクロレンズと係合されたレンズホルダと、マクロレンズ光学軸に平行な光軸を有する調整可能光源と、ハンドヘルドコンピュータ装置と第３の位置で摺動可能に係合するように構成された第３の係合面と、後方部分のベース区間と可逆的に係合するように構成された本体の相補面とを有し、クランプが軸を規定し、前方アダプタ部分の本体が、クランプの軸に沿って移動するように構成されたステップと、前方アダプタの本体の位置をクランプの軸に対して調整して、マクロレンズ光学軸をハンドヘルドコンピュータ装置のカメラの光学軸と合わせるステップと、マクロレンズと調整可能光源を使用して、ハンドヘルドコンピュータ装置のカメラによって患者の眼の画像を取得するステップと、後方部分のベース区間を前方アダプタ部分の本体の相補面と係合させることによって後方部分を前方アダプタ部分に係合させるステップであって、前記後方部分が、ベース区間に対して移動可能なテレスコープ区間と、テレスコープ区間の遠位端と係合され、検眼レンズと取り外し可能に係合するように構成されたレンズホルダとを含み、ベース区間が、前方アダプタ部分の本体と取り外し可能に係合して、検眼レンズとハンドヘルドコンピュータ装置のカメラとの間に光学軸を形成するように構成されたステップと、ハンドヘルドコンピュータ装置のカメラと検眼レンズによって患者の眼の画像を取得するステップとを含む。
【００１０】
以上その他の実施形態は、以下の特徴のうちの１つ以上を含みうる。方法は、更に、クランプの軸に対する前方アダプタの本体の位置を調整して、マクロレンズ光学軸をハンドヘルドコンピュータ装置のカメラの光学軸と合わせした後で前方アダプタの本体の位置をロックするステップを含みうる。方法は、更に、検眼レンズをレンズホルダと係合させて、ハンドヘルドコンピュータ装置のカメラと検眼レンズによって患者の眼の画像を取得するステップを含みうる。方法は、更に、取外し式カバーを後方部分と係合させて検眼レンズとハンドヘルドコンピュータ装置のカメラの間に光学経路を収容するステップを含みうる。方法は、更に、前方アダプタ部分の調整可能光源を調整して患者の眼を所望の量の光で照明するステップを含みうる。方法は、更に、ビームスプリッタモジュールを前方アダプタと係合するステップを含みうる。ビームスプリッタモジュールは、前方アダプタと取り外し可能に係合するように構成されうる。ビームスプリッタモジュールは、前方アダプタと係合されたとき、調整可能光源からの光をカメラの光学軸と共軸で導くように構成されうる。方法は、更に、ハンドヘルドコンピュータ装置のカメラとビームスプリッタモジュールによって患者の眼の直像検眼画像を取得するステップを含みうる。方法は、更に、スリットビームモジュールを前方アダプタと係合するステップを含む。スリットビームモジュールは、前方アダプタ部分と取り外し可能に係合するように構成されうる。方法は、更に、スリットビームモジュールによって患者の眼の画像を取得するステップを含みうる。ハンドヘルドコンピュータ装置は、スマートフォン、タブレットコンピュータ又は携帯撮像装置でよい。
【００１１】
本発明の新規の特徴は、以下の特許請求の範囲で詳細に説明される。本発明の特徴及び利点のより適切な理解は、本発明の原理が利用される実例となる実施形態を説明する以下の詳細な説明と、添付図面を参照することによって得られる。
【図面の簡単な説明】
【００１２】
【図１】幾つかの実施形態によるハンドヘルドコンピュータ装置に取り付けられたアダプタの正面図である。
【図２】幾つかの実施形態によるアダプタの正面図である。
【図３】幾つかの実施形態によるアダプタの背面図である。
【図４】幾つかの実施形態によるアダプタの側面図である。
【図５】幾つかの実施形態によるアダプタの前方部分と後方部分を示す図である。
【図６】幾つかの実施形態によるハンドヘルドコンピュータ装置に取り付けられたアダプタの前方部分の正面図である。
【図７】幾つかの実施形態によるアダプタの前方部分の背面図である。
【図８】幾つかの実施形態によるハンドヘルドコンピュータ装置に取り付けられたアダプタの前方部分の正面図である。
【図９】幾つかの実施形態によるハンドヘルドコンピュータ装置に取り付けられたアダプタの前方部分の側面図である。
【図１０】幾つかの実施形態によるハンドヘルドコンピュータ装置に取り付けられたアダプタの正面図である。
【図１１】幾つかの実施形態によるハンドヘルドコンピュータ装置に取り付けられたアダプタの別の正面図である。
【図１２】幾つかの実施形態によるハンドヘルドコンピュータ装置に取り付けられたアダプタの背面図である。
【図１３】幾つかの実施形態によるハンドヘルドコンピュータ装置に取り付けられたアダプタの側面図である。
【図１４】幾つかの実施形態によるハンドヘルドコンピュータ装置に取り付けられたアダプタの正面図である。
【図１５】幾つかの実施形態による、マクロレンズがハンドヘルドコンピュータ装置のカメラの光学経路内にある状態のハンドヘルドコンピュータ装置と係合されたアダプタの前方部分の正面図である。
【図１６】幾つかの実施形態による、マクロレンズがハンドヘルドコンピュータ装置のカメラの光学経路内にある状態のハンドヘルドコンピュータ装置と係合されたアダプタの前方部分の正面図である。
【図１７】幾つかの実施形態による、マクロレンズがハンドヘルドコンピュータ装置のカメラの光学経路内にある状態のハンドヘルドコンピュータ装置と係合されたアダプタの前部分の背面図である。
【図１８】幾つかの実施形態による、マクロレンズがハンドヘルドコンピュータ装置のカメラの光学経路内にある状態のハンドヘルドコンピュータ装置と係合されたアダプタの前部分の側面図である。
【図１９】幾つかの実施形態による、マクロレンズがハンドヘルドコンピュータ装置のカメラの光学経路内にある状態のハンドヘルドコンピュータ装置と係合されたアダプタの前部分の正面図である。
【図２０Ａ】幾つかの実施形態による、ハンドヘルドコンピュータ装置のカメラの光学経路内にマクロレンズを有するハンドヘルドコンピュータ装置と係合されたアダプタの前方部分の側面図である。
【図２０Ｂ】幾つかの実施形態による、ハンドヘルドコンピュータ装置のカメラの光学経路外にマクロレンズを有するハンドヘルドコンピュータ装置と係合されたアダプタの前方部分の側面図である。
【図２１】幾つかの実施形態による、ハンドヘルドコンピュータ装置のカメラの光学経路外にマクロレンズを有するハンドヘルドコンピュータ装置と係合されたアダプタの前方部分と後方部分の側面図である。
【図２２】幾つかの実施形態による、ハンドヘルドコンピュータ装置及び光学経路筐体アダプタと係合されたアダプタの側面図である。
【図２３】幾つかの実施形態による光学経路筐体の断面の例を示す図である。
【図２４Ａ】幾つかの実施形態によるアダプタと係合された光学経路筐体アダプタを示す図である。
【図２４Ｂ】幾つかの実施形態によるアダプタと係合された光学経路筐体アダプタを示す図である。
【図２４Ｃ】幾つかの実施形態による光学経路筐体アダプタの断面図と分解図である。
【図２４Ｄ】幾つかの実施形態による光学経路筐体アダプタの断面図と分解図である。
【図２５Ａ】幾つかの実施形態によるハンドヘルドコンピュータ装置と係合された前方アダプタの追加の実施形態を示す図である。
【図２５Ｂ】幾つかの実施形態によるハンドヘルドコンピュータ装置と係合された前方アダプタの追加の実施形態を示す図である。
【図２５Ｃ】本明細書に記載される前方アダプタの追加実施形態の特徴を示す図である。
【図２５Ｇ】本明細書に記載される前方アダプタの追加実施形態の特徴を示す図である。
【図２６Ａ】幾つかの実施形態による取り外し可能なビームスプリッタモジュールのそれぞれ外観と断面図である。
【図２６Ｂ】幾つかの実施形態による取り外し可能なビームスプリッタモジュールのそれぞれ外観と断面図である。
【図２６Ｃ】幾つかの実施形態による、前方アダプタとは別のビームスプリッタモジュールと、係合されたビームスプリッタモジュールをそれぞれ示す図である。
【図２６Ｄ】幾つかの実施形態による、前方アダプタとは別のビームスプリッタモジュールと、係合されたビームスプリッタモジュールをそれぞれ示す図である。
【図２６Ｅ】それぞれ幾つかの実施形態によるビームスプリッタモジュールの正面図と背面図である。
【図２６Ｆ】それぞれ幾つかの実施形態によるビームスプリッタモジュールの正面図と背面図である。
【図２７Ａ】幾つかの実施形態によるビームスプリッタモジュールの一実施形態と係合された前方アダプタを示す図である。
【図２７Ｂ】幾つかの実施形態による細隙灯モジュールの一実施形態と係合された前方アダプタを示す図である。
【図２７Ｃ】幾つかの実施形態による平行ビームモジュールの一実施形態と係合された前方アダプタを示す図である。
【図２７Ｄ】幾つかの実施形態によるマスクモジュールの一実施形態と係合された前方アダプタを示す図である。
【図２８Ａ】本明細書に記載されたアダプタと共に使用できる多数のレンズを有するモジュールの実施形態を示す図である。
【図２８Ｂ】本明細書に記載されたアダプタと共に使用できる多数のレンズを有するモジュールの実施形態を示す図である。
【図２８Ｃ】本明細書に記載されたアダプタと共に使用できる多数のレンズを有するモジュールの実施形態を示す図である。
【図２８Ｄ】本明細書に記載されたアダプタと共に使用できる多数のレンズを有するモジュールの実施形態を示す図である。
【図２９Ａ】幾つかの実施形態による一体テレスコープ式光学経路筐体を有する後方部分を備えたアダプタを示す図である。
【図２９Ｂ】幾つかの実施形態による一体テレスコープ式光学経路筐体を有する後方部分を備えたアダプタを示す図である。
【図３０Ａ】幾つかの実施形態による前方アダプタ部分の様々な図であり、それぞれ正面図、断面図、背面図及び正面図を含む。
【図３０Ｂ】幾つかの実施形態による前方アダプタ部分の様々な図であり、それぞれ正面図、断面図、背面図及び正面図を含む。
【図３０Ｃ】幾つかの実施形態による前方アダプタ部分の様々な図であり、それぞれ正面図、断面図、背面図及び正面図を含む。
【図３０Ｄ】幾つかの実施形態による前方アダプタ部分の様々な図であり、それぞれ正面図、断面図、背面図及び正面図を含む。
【図３１Ａ】幾つかの実施形態による前方アダプタ部分の正面図と背面図である。
【図３１Ｂ】幾つかの実施形態による前方アダプタ部分の正面図と背面図である。
【図３２Ａ】それぞれ幾つかの実施形態によるハンドヘルドコンピュータ装置と係合されたアダプタの正面図と背面図である。
【図３２Ｂ】それぞれ幾つかの実施形態によるハンドヘルドコンピュータ装置と係合されたアダプタの正面図と背面図である。
【図３３Ａ】幾つかの実施形態による、前方部分から離れた後方部分を有するハンドヘルドコンピュータ装置と係合された前方アダプタ部分の様々な図である。
【図３３Ｂ】幾つかの実施形態による、前方部分から離れた後方部分を有するハンドヘルドコンピュータ装置と係合された前方アダプタ部分の様々な図である。
【図３３Ｃ】幾つかの実施形態による、前方部分から離れた後方部分を有するハンドヘルドコンピュータ装置と係合された前方アダプタ部分の様々な図である。
【発明を実施するための形態】
【００１３】
本明細書では、ハンドヘルドコンピュータ装置と共に使用し、医者、医療専門家、看護師、技術者、又は任意のユーザが、患者又はユーザの網膜の画像を撮影することを可能にする為のアダプタが開示される。このアダプタは、ハンドヘルドコンピュータ装置と係合し、それにより、ハンドヘルドコンピュータ装置上のカメラは、アダプタの光学軸とぴったりと合って網膜の高品質画像を撮影できる。アダプタの調整機能が、アダプタを、ハンドヘルドコンピュータ装置の様々な領域に配置されたカメラを有する様々な異なるハンドヘルドコンピュータ装置と共に使用することを可能にする。本明細書に開示されたアダプタと共に使用できるハンドヘルドコンピュータ装置の例には、タブレットコンピュータ（ｉＰａｄ（登録商標）、ｇａｌａｘｙ  ｎｏｔｅ、ｉＰｏｄ（登録商標）など）、スマートフォン装置（Ａｐｐｌｅ（登録商標）、ｉＰｈｏｎｅ（登録商標）、Ｍｏｔｏｒｏｌａ装置、Ｓａｍｓｕｎｇ装置、ＨＴＣ装置など）、携帯撮像装置、又はカメラを備えた他の電子装置が含まれる。
【００１４】
ハンドヘルドコンピュータ装置上の光源は、典型的には、患者を不快にさせることなく患者の眼を照明するには明る過ぎる。本明細書に開示されたアダプタは、前方アダプタの一部として調整可能光源を含みうる。調整可能光源は、患者の眼を照明するのに望ましいレベルの光を提供する為に、容易に調整されうる。アダプタに搭載された調整可能光源を含む別の利点は、米国内の装置の規制認可の改善である。ハンドヘルドコンピュータ装置のカメラの光源を使用するアダプタは、光源が目に使用するのに安全であることを示す為に、ハンドヘルドコンピュータ装置の様々なモデルごとに別個の規制認可を必要としうる。調整可能光源を含めると、様々なハンドヘルドコンピュータ装置の光源間のばらつきがなくなり、米国内の規制認可プロセスが合理化される。
【００１５】
国際公開第２０１４／１９４１８２号明細書は、前方及び後方部分撮像用の別々のアダプタを有する前部及び後部検眼鏡検査用のモジュール式レンズアダプタシステムを開示している。前方検眼レンズ、光源及びカメラの光学軸を合わせることは、視野内に幾つかの問題を提供し、装置を使い難くしうる。本開示は、前方アダプタと後方アダプタを組み合わせることによって、システムの様々な部品の光学軸を合わせる追加ステップがなくなり、装置の使用法が大幅に単純化されることを発見した。前方アダプタ部分の光学軸と検眼レンズの光学軸の関係が一定なので、アダプタシステムの使い易さが大幅に単純化され、画質が改善されうる。
【００１６】
本明細書で述べるアダプタシステムを使用して、通常は医院にしかない高価な機器を使用して得られる画像と同等の患者の眼の画像が得られる。本明細書に記述されたアダプタシステムを使用して得られた画像は、治療、診断及びトリアージに使用されうる。
【００１７】
携帯性、使いやすさ、頑丈な構造、及び低コストによって、本明細書で述べるアダプタシステムをハンドヘルドコンピュータと共に使用して、医院及び医院外で患者の眼の画像が得られる。例えば、このシステムは、医院や他のヘルスケア提供者を欠く場所で内外で使用されうる。屋外使用に対するアダプタの適応性によって、ヘルスケア提供者が、遠隔地まで移動してヘルスケア設備に行けない患者を治療することが可能になる。また、アダプタシステムは、取得画像内に見える医学的問題の有無に基づいて診断及び照会用に眼科医に送る為に、一般開業医によって使用されうる。
【００１８】
アダプタシステムは、光学軸を有するカメラを備えたハンドヘルドコンピュータ装置と取り外し可能に係合するように構成されうる。アダプタシステムは、前方アダプタ部分と後方部分を含みうる。前方アダプタ部分は、本体、ハンドヘルドコンピュータ装置と取り外し可能に係合するように構成されたクランプ、レンズホルダ、調整可能光源、ハンドヘルドコンピュータ装置と摺動可能に係合するように構成された第３の係合面、及び後方部分の一部分と可逆的に係合するように構成された本体上の相補面を含みうる。
【００１９】
クランプは、第１及び第２位置でハンドヘルドコンピュータ装置と接触するように構成されうる。幾つかの実施形態では、第１及び第２位置は、ハンドヘルドコンピュータ装置の反対面にある。クランプは、軸を規定し、前方アダプタ部分の本体がクランプの軸に沿って移動して、カメラの光学軸をレンズホルダ内のレンズの光学軸と合わせることを可能にできる。
【００２０】
レンズホルダは、マクロレンズを支持するように適応されうる。レンズホルダは、ヒンジを含み、その結果、レンズホルダは、カメラの光学軸内の第１位置とカメラの光学軸外の第２位置の間で移動できる。幾つかの実施形態では、マクロレンズは、円形主断面を有しうる。他の実施形態では、マクロレンズは、非円形断面プロファイルを有するマクロレンズの光学軸に直角の主平面を有する。マクロレンズは、非円形断面を有し、レンズの一部分は、マクロレンズ／レンズホルダと前方アダプタ部分の本体の表面との係合を調整する為に除去されている。
【００２１】
幾つかの実施形態では、ビームスプリッタモジュール、スリットビームモジュール、青色フィルタ、様々なサイズのアパーチャなどの本明細書で述べる複数のモジュールは、前方アダプタ部分と取り外し可能に係合されうる。幾つかの実施形態では、モジュールの１つ以上は、ヒンジによって、又はスイスアーミーナイフのような複数のヒンジ式部品によって、前方アダプタと係合できる。モジュールは、所定の位置に動揺し、使用され、次に光学経路又は光源経路から外れうる。例えば、モジュールは、ビームスプリッタモジュール、その後のスリットビームモジュール、その後の青色光フィルタによる直像検眼法の順序で使用されうる。モジュールは、スイスアーミーナイフ型構成のように、共通軸を有するヒンジに沿って取り付けられうる。他の場合、モジュールはそれぞれ、モジュールを所望の位置（例えば、光学経路又は光経路内）に出し入れするように適応された異なるヒンジで取り付けられうる。例えば、幾つかのモジュールは、ヒンジ１４１と係合できる。他のモジュールは、前方アダプタ部分の裏面のヒンジと係合して光学経路又は光源を覆うことができる。他の実施形態では、モジュールは、取り外し可能に取り付けられ互いに交換可能でよく、例えば、モジュールは、前方アダプタの共通部分と係合できる。係合タイプの例には、磁石、相補的嵌合面による可逆的係合、スナップオン、摩擦ばめなどが含まれる。
【００２２】
調整可能光源は、レンズホルダ内のマクロレンズ若しくは他のレンズの光学軸及び／又はハンドヘルドコンピュータのカメラの光学軸に平行な光軸を有しうる。幾つかの実施形態では、調整可能光源の光軸は、カメラの光学軸に垂直又は直角でよい。
【００２３】
第３の係合面は、ハンドヘルドコンピュータ装置と第３の位置で摺動可能に係合するように構成されうる。第３の係合は、カメラの軸と前方アダプタ部分が合わされた後で、前方部分をハンドヘルドコンピュータ装置に固定できる。
【００２４】
後方部分は、前方アダプタ部分の本体の相補面と可逆的に係合するように構成されたベース区間、ベース区間に対して移動可能なテレスコープ区間、及びテレスコープ区間の遠位端と係合されて検眼レンズと取り外し可能に係合するように構成されたレンズホルダを含みうる。ベース区間は、前方アダプタ部分の本体と取り外し可能に係合して、検眼レンズとハンドヘルドコンピュータ装置のカメラとの間に光学軸を形成するように構成されうる。
【００２５】
レンズホルダは、検眼レンズと係合されうる。システムが使用されないとき、検眼レンズをレンズホルダから取り外しできる。検眼レンズは、倒像検眼法用に構成されうる。レンズマウントは、倒像検眼法用の１４Ｄ、２０Ｄ、２２Ｄ、２８Ｄ、３０Ｄ、４０Ｄ、又は５４Ｄ、６０、６６及び９０Ｄ集光レンズなどの１０Ｄ乃至９０Ｄの範囲の検眼レンズを収容するようにサイズ決めされうる。レンズマウントとハンドヘルドコンピュータ装置の間の作動距離は、ｉＰｈｏｎｅとＶｏｌｋ  Ｐａｎｒｅｔｉｎａｌ  ２．２レンズの場合には約５．７５インチでよいが、ハンドヘルドコンピュータ装置カメラ、検眼レンズ能力及び検査される対象物の組み合わせによって異なる。例えば、患者とレンズの特定の組み合わせでは、作動距離は、約２インチに短縮されるか、約１０インチに延長されうる。検眼レンズは、レンズホルダの内径に容易に着脱されうる。
【００２６】
レンズホルダは、後方部分のテレスコープ区間と係合されたレンズホルダヒンジと係合されうる。レンズホルダヒンジは、カメラの光学軸内の第１位置とカメラの光学軸外の第２位置の間でレンズホルダの動きを提供できる。第２位置は、レンズホルダがテレスコープ区間と面一で折り畳まれる位置を含みうる。
【００２７】
クランプと前方アダプタ部分の第３の係合構造は、前方アダプタの光学軸をハンドヘルドコンピュータ装置に対してｘ軸１５４とｙ軸１５６に沿って移動可能にする。前方アダプタの光学軸は、ハンドヘルドコンピュータ装置のカメラの光学軸と合うように調整されうる。
【００２８】
クランプは、ハンドヘルドコンピュータ装置の第１位置と係合するように構成された第１面と、ハンドヘルドコンピュータ装置の第２位置と係合するように構成された第２面とを有する。第１面と第２面は、摩擦を増大させ、第１及び第２面とハンドヘルドコンピュータ装置との相対運動を妨げるゴム面又は他の面を含みうる。第１面と第２面は、ハンドヘルドコンピュータ装置の両側にありうる。幾つかの実施形態では、クランプは、ばね加圧される。幾つかの実施形態では、クランプは、第１及び第２位置に圧縮力を加えるように構成される。
【００２９】
ハンドヘルドコンピュータ装置の第３の係合面は、フック又は半円形状を有しうる。幾つかの実施形態では、第３の係合面は、ハンドヘルドコンピュータ装置と第３の位置で摺動可能に係合するように構成された半円又はフック形状を有する。第３の係合面は、前方アダプタの本体の表面をハンドヘルドコンピュータ装置の表面に対して保持するように適応されうる。異なるサイズの第３の係合面を使用して、ハンドヘルドコンピュータ装置を様々なカメラ位置に収容できる。
【００３０】
幾つかの実施形態では、第３の係合構造は、前方アダプタ部分と取り外し可能に係合するように構成される。アダプタシステムは、様々な幾何学形状を有する複数の異なる第３の係合構造を含みうる。所望の幾何学形状を有する第３の係合構造は、ハンドヘルドコンピュータ装置上のカメラの位置とハンドヘルドコンピュータ装置の寸法に基づいて選択されうる。
【００３１】
幾つかの実施形態では、第３の係合構造は、ハンドヘルドコンピュータ装置と係合するように構成された調整可能な係合機構を含みうる。調整可能な機構は、第３の係合構造をハンドヘルドコンピュータ装置に対して固定するのに役立ち、様々な厚さのハンドヘルドコンピュータ装置を収容するのに役立つ。幾つかの実施形態では、調整可能な係合機構は、蝶ねじとハンドヘルドコンピュータ係合面を有することができ、蝶ねじは、係合面によってハンドヘルドコンピュータ装置に圧縮力を提供するように調整される。幾つかの実施形態では、調整可能な係合機構は、ばね、ハンドヘルドコンピュータ係合面、及び解放レバーを含みうる。ばねは、ハンドヘルドコンピュータ装置に圧縮力を提供でき、解放レバーは、調整可能な係合機構を素早く外す為に使用されうる。
【００３２】
前方アダプタ部分が、光学軸をカメラの光学軸と合わせるように位置決めされた後で、ハンドヘルドコンピュータ装置とアダプタの間の更なる相対運動を阻止又は制限する為に調整可能な位置を複数のロック機構で固定できる。
【００３３】
アダプタは、前方アダプタ部分上に、クランプの軸に対して前方本体を位置決めするように構成された前方ロック機構を含みうる。前方ロック機構は、クランプの第１面をクランプの第２面に対して固定することなどによって、クランプの軸の長さを固定するように適応されうる。前方ロック機構は、また、本体をクランプの第１面と第２面に対して固定できる。幾つかの実施形態では、前方ロック機構は、蝶ねじ機構である。
【００３４】
後方部分は、また、テレスコープ区間を後方部分のベース区間に対して固定するロック機構を含みうる。幾つかの実施形態では、テレスコープ区間を固定する為に蝶ねじロック機構が使用されうる。他の実施形態では、テレスコープ区間とベース区間の間で摩擦ばめを使用できる。幾つかの実施形態では、テレスコープ区間は、一眼レフ（ＳＬＲ）カメラに使用される構造と類似のねじり運動でレンズを移動できる。
【００３５】
後方部分は、また、レンズホルダをテレスコープ区間の軸に対して固定するように構成されたレンズホルダロック機構を含みうる。例えば、レンズホルダは、レンズホルダが検眼レンズと係合するときに固定されて、検眼レンズをカメラの光学軸内に保持できる。レンズホルダは、また、テレスコープ区間と面一で折り畳み構成のときも固定されうる。レンズホルダロック機構は、蝶ねじ機構を含みうる。
【００３６】
多くのハンドヘルドコンピュータ装置に使用されるフラッシュは、ほとんどの患者の眼には明るすぎることが多く、かつ／又は装置によって特性のばらつきが大きすぎて、ユーザが思い通りに確実又は安全に使用できない。前方アダプタ部分上の調整可能光源は、患者の眼に穏やかな量の光を提供し、したがって、光源による患者の不快さを最小にするか無くしながら高品質画像を得ることができる。穏やかな量の光を有する前方アダプタ部分上の調整可能光源の使用は、眼に提供される光の量が安全であることを示す行政権限に適合しやすくした。前方部分上の調整可能光源の更に別の利点は、種々のハンドヘルドコンピュータ装置上の光源間のばらつきをなくすことである。また、前方アダプタ部分上の調整可能光源の使用は、前方アダプタ部分の同じ調整可能光源が、どのハンドヘルドコンピュータ装置とも一緒に使用されるので、装置の規制検討プロセスを合理化した。その結果、アダプタと共に使用される各ハンドヘルドコンピュータ装置上の光源ごとの規制検討及び承認に対して、前方アダプタ部分が、任意のハンドヘルドコンピュータ装置との使用に関して後で承認されるので、調整可能光源の安全性を一度で検討できた。
【００３７】
調整可能光源は、前方アダプタの本体と一体であり、前方アダプタ内の電源によって電力供給される。幾つかの実施形態では、光源は、発光ダイオード（ＬＥＤ）を含む。幾つかの実施形態では、光拡散板は、調整可能光源と共に使用されうる。幾つかの実施形態では、前方アダプタ部分は、光源の特性を調整するように構成された光源操作部を有する。一例では、光源操作部は、ダイヤルである。他の例では、光源操作部は、スライダ又は１組のボタン（例えば、輝度を増減させるプラス及びマイナスボタン）である。前方アダプタは、前方アダプタ部分の本体内に、調整可能光源に電力供給するバッテリ室を含みうる。
【００３８】
場合によっては、網膜を撮像するときに、レンズホルダとカメラの間で開放光学経路を使用できる。この構成は、屋内、医院又はヘルスケア提供者オフィス内にありうるような低照度環境で使用されうる。
【００３９】
貧しい国々で検査が行われうる屋外環境やヘルスケア設備から遠い遠隔環境などの幾つかの場合には、カメラと検眼レンズと後方レンズホルダの間の光学経路に沿った外部光を遮るカバーが使用されうる。外部光を減少又は遮断することによって、画像品質と患者の眼の画像の明るさを改善できる。幾つかの実施形態では、光学経路からの光を減少又は遮断する筐体を構成する為に、後方部分と取り外し可能に係合するように構成された取外し式カバーが使用される。取外し式カバーは、テレスコープ区間などの後方部分と係合する締め付け機構を含みうる。取外し式カバーは、また、取外し式カバーの長さを調整してテレスコープ区間の長さと合致するように構成されたテレスコープ部分を含みうる。例えば、テレスコープ区間が、検眼レンズ内の網膜の像を改善するように調整されたとき、カバー長さは、テレスコープ区間の動きと一緒に移動できる。取外し式カバーは、ハンドヘルドコンピュータ装置のカメラ及び前方アダプタ部分の光源に対応する開口を有する近位部分と、レンズホルダと係合する遠位部分とを有しうる。カバーの遠位部分は、レンズホルダヒンジと係合してカバーの内容積内にレンズホルダの全て又は一部分を収容する溝又は開口を含みうる。テレスコープ運動は、ねじり又は摺動機構によって達成されうる。幾つかの実施形態では、テレスコープ運動は、無線制御モータの使用によって自動化されうる。幾つかの実施形態では、筐体内に、複合レンズ光学経路を作成する第２のレンズも位置決めされうる。幾つかの実施形態では、筐体部分自体がテレスコープでもよく、別個のテレスコープ区間は使用されない。例えば、テレスコープ筐体は、図２９Ａ乃至図２９Ｂに示されたような前方アダプタ部分と直接係合できる。
【００４０】
アダプタシステムをモジュールユニットと組み合わせて、眼の追加画像を得ることができる。例えば、眼の直像検眼法にビームスプリッタモジュールを使用できる。細隙灯モジュールを使用して、眼の角膜と前房の光学断面画像を取得できる。
【００４１】
幾つかの実施形態では、本明細書に開示されたアダプタと共に使用するビームスプリッタモジュールが提供される。ビームスプリッタモジュールは、前方アダプタと取り外し可能に係合するように構成されうる。ビームスプリッタモジュールは、前方アダプタと係合されたとき、調整可能光源からの光をカメラの光学軸と共軸で導くように構成される。ビームスプリッタは、調整可能光源からの光をカメラの光学軸と共軸で反射させる１つ以上のミラーを含みうる。ビームスプリッタは、また、ビームスプリッタモジュールが前方アダプタ部分と係合されたときに、調整可能光源の光学経路内に偏光フィルタを含みうる。ビームスプリッタは、また、ビームスプリッタモジュールが前方アダプタ部分と係合されたときに、カメラの光学経路内に偏光フィルタを含みうる。偏光フィルタは、ＬＥＤ光源の上に、カメラレンズの上の偏光フィルタと組み合わせて配置されてもよく、ＬＥＤの上に単独で使用されてもよい。
【００４２】
幾つかの実施形態では、前方アダプタと取り外し可能に係合するように構成されたスリットビームモジュールが、アダプタと共に使用されうる。スリットビームモジュールは、本明細書で述べる前方アダプタと係合されて、従来の細隙灯装置の機能の幾つかを提供できる。スリットビームモジュールは、球面円柱レンズ、矩形アパーチャ又はこれらの両方を使用して矩形光ビームを作成する。スリットビームモジュールは、眼に光学経路に対して一定の角度、又は調整可能な角度で近づく。また、矩形ビームのアスペクト比は、必要に応じて、０．５ｍｍｘ０．５ｍｍのサイズ、１５ｍｍｘ０．５ｍｍから１４ｍｍｘ５ｍｍのようなより長いアスペクト比、又は境界をほとんど知覚できないように照明を拡散する１５ｍｍｘ１５ｍｍもの大きさに調整可能である。
【００４３】
幾つかの実施形態で、システムは、前方アダプタ部分と取り外し可能に係合されて調整可能光源を修正するように構成された光成形モジュールを含みうる。光成形モジュールは、複数の光成形構造物を含む。一例では、光成形モジュールは、第１のアパーチャ、第１のアパーチャより大きい第２のアパーチャ、凸レンズ、平凸レンズ、球面円柱レンズ、細隙灯及び青色フィルタのうちの１つ以上を含みうる。
【００４４】
幾つかの実施形態では、ベース区間は、前方アダプタ部分と係合する為に磁石を有する。前方アダプタ部分は、後方部分が前方アダプタ部分の光学経路に対して所望の向きになるように、後方部分と係合して合わせる為の相手側磁石を含みうる。幾つかの実施形態では、磁石は、溝とその溝の相手である雄形部分などの別個の相補的係合面に加えて使用されうる。
【００４５】
幾つかの実施形態では、テレスコープ区間は、閉じた光学経路を有する。閉じた光学経路は、内蔵検眼レンズを含みうる。
【００４６】
また、本明細書に記述されたアダプタを使用して、患者の眼の前方部と後方部の画像を取得する為の方法が提供される。例えば、前方アダプタ部分は、ハンドヘルドコンピュータ装置のカメラと係合されその光学軸と合わされうる。マクロレンズとレンズホルダは、カメラの光学軸内の適切な位置に移動されうる。次に、ハンドヘルドコンピュータ装置とアダプタが、カメラ、調整可能光源及びマクロレンズを使用して、患者の眼の前方部の画像を取得するように位置決めされうる。マクロレンズを使用した後で、マクロレンズホルダをカメラの光学軸外の位置に移動できる。網膜を撮像する為、後方部分を前方アダプタ部分に係合させ固定できる。検眼レンズはレンズホルダと係合される。次に、テレスコープ区間の長さを調整して、患者の眼の所望の部分に検眼レンズを適切に合焦できる。調整可能光源は、また、患者の眼に所望の照明を提供するように調整されうる。次に、患者の網膜の画像をカメラと検眼レンズによって取得できる。後方アダプタは、典型的には、瞳孔が拡大した患者に（例えば、局部的散瞳孔薬の使用により）使用される。
【００４７】
明るい屋外又は明るい屋内環境では、取外し式カバーが使用されうる。取外し式カバーを後方部分と係合させ、その後でテレスコープ区間と調整可能光源の長さを調整し、検眼レンズを通して患者の眼の画像を取得できる。
【００４８】
直像検眼法の場合、ビームスプリッタモジュールアダプタは、前方アダプタ部分と係合されうる。ビームスプリッタは、調整可能光源と係合されて、調整可能光源から放射された光をハンドヘルドコンピュータ装置のカメラの光学軸と一致するように反射させうる。カメラの光学軸は、光源の経路を拡大していない患者の眼の瞳孔（例えば、非散瞳孔）に通す直像検眼法によって、患者の網膜の画像を得る為にも使用されうる。
【００４９】
手持ち式細隙灯の例は、そのような手持ち式細隙灯を使用する方法と共に、米国特許第４，４６１、５５１号明細書に開示され、その開示全体は参照により本明細書に組み込まれる。
【００５０】
図１は、幾つかの実施形態によるハンドヘルドコンピュータ装置１０２に取り付けられたアダプタ１００の正面図である。アダプタ１００は、前方アダプタ部分１０４と後方部分１０６を含む。後方部分１０６は、基部１０８で前方アダプタ部分１０４と取り外し可能に係合するように構成されうる。後方部分１０６は、レンズ１１０（検眼レンズなど）とレンズホルダ１１２を有する。後方部分１０６は、後方部分１０６の長さを修正する為に、互いに対して移動するように構成されたベースシャフト１１６とテレスコープ式シャフト１１８を含みうる。レンズホルダ１１２は、調整可能ヒンジ１１４でテレスコープ式シャフト１１８に接続されうる。ヒンジ１１４は、調整可能な止めねじ１２０によって固定されうる。調整ねじ１２０は、また、幾つかの実施形態では、ベースシャフト１１６に対してテレスコープ式シャフト１１８の動きをロックするように構成されうる。
【００５１】
前方アダプタ部分１０４は、図５に示された相補的嵌合面１６２などによって、基部１０８にベースシャフト１１６を収容するように構成できる。前方アダプタ部分１０４は、複数の接触点でハンドヘルドコンピュータ装置と係合するように構成されうる。例えば、図示したアダプタ１００は、３つの接触点でハンドヘルドコンピュータ装置を係合する。アダプタ１００は、ハンドヘルドコンピュータ装置に対して、垂直ｙ軸１５６と水平ｘ軸１５４に沿って移動できるように構成されうる。図示されたアダプタ１００は、前方アダプタ部分本体１３２が水平方向に（ｘ軸１５４に沿って）移動して、ハンドヘルドコンピュータ装置１０２のカメラ１３４の光学軸１５０がアダプタ１００の光学軸と合うことを可能にするように構成された調整可能な水平クランプ１３０を含む。前方アダプタ部分本体１３２は、図示された調整ねじなどのロック機構１３６によって水平クランプ１３０に対して固定されうる。図示されたアダプタ１００は、ハンドヘルドコンピュータ装置１００を前方アダプタ部分１０４と面一に保持する為に、フック型構成で示された、第３の係合面又は垂直接触点１３８を含む。第３の係合面１３８は、ハンドコンピュータ装置１００を前方アダプタ部分１０４と面一に保持し、同時に前方アダプタ部分本体１３２を調整可能な水平クランプ１３０に対して水平方向に移動又は摺動可能にできる。第３の係合面１３８の寸法と長さは、様々なハンドヘルドコンピュータ装置の位置に対応するように修正されうる（図２５Ａ乃至図２５Ｂを参照）。例えば、ハンドヘルドコンピュータ装置のｙ軸１５６の真ん中近くにカメラを備えたハンドヘルドコンピュータ装置に対応する為に、より長いフックが使用されうる。調整可能な水平クランプ１３０は、ハンドヘルドコンピュータ装置１００に確実に接触するように、ばね加圧されてもよく別の機構を使用してもよい。調整可能なグリップは、調整可能な水平グリップがハンドヘルドコンピュータ装置と係合する２つの接触点の間に圧縮力を加えることによって、ハンドヘルドコンピュータ装置の縁と確実に係合するように構成されうる。調整可能グリップは、様々な幅を有するハンドヘルドコンピュータ装置に対応するようにサイズ決めされうる。
【００５２】
調整可能な水平クランプ１３０は、マクロレンズ１４０と光源１４２をハンドヘルドコンピュータカメラ１３４の光学軸１５０と位置合わせ可能にできる。様々なハンドヘルドコンピュータ装置が、異なる寸法と異なるカメラ位置を有する。例えば、ｉＰｈｏｎｅ６は左側角にあり、多くのアンドロイド電話は中央に配置され更に縁から遠くにあり、ＨＴＣ電話は右側角にある。前方本体は、カメラ１３４をレンズ１１０，１４０と位置合わせする為に、調整可能な水平クランプ１３０に対して調整されうる。
【００５３】
図示された前方アダプタ部分１０４は、また、マクロレンズ１４０、マクロレンズホルダ１４３、レンズホルダヒンジ１４１、光源１４２、及び光源ダイヤル操作部１４４を含む。図示された光源１４２はＬＥＤである。レンズホルダ１４３は、他のタイプのレンズを収容するように適応されうる。レンズ１４０とレンズホルダ１４３は、マクロレンズ１４０をカメラの光学軸１５０内の位置とカメラの光学軸１５０外の第２位置との間で移動させる為に、レンズホルダヒンジ１４１のまわりに回転できる。図１は、カメラの光学軸１５０外の位置にあるマクロレンズ１４０とレンズホルダ１４３を示す。図６は、カメラの光学軸１５０内のマクロレンズ１４０を示す。光源１４２は、回転つまみ又はダイヤルとして示された光源操作部１４４によって制御されうる。光源１４２は、また、１つ以上の省略可能な光拡散板要素を含みうる。省略可能な光拡散板要素は、ハウジング内の光源１４２の前にあってもよい。
【００５４】
図２は、正面図であり、図３は、ハンドヘルドコンピュータ装置１０２のない図１のアダプタ１００の背面図である。調整可能光源１４２は、光学軸又は経路１５２を有する。前方アダプタ部分本体１３２は、バッテリなどの電源を収容するように構成されたバッテリ室１４６を含む。図４は、幾つかの実施形態によるアダプタの側面図である。
【００５５】
図５は、互いに離れたアダプタ１００の前方アダプタ部分１０４と後方部分１０６を示す。後方部分１０６は、レンズホルダ１１２がテレスコープ区間１１８に対して折り畳み位置にある状態で示される。後方部分１０６は、前方アダプタ部分本体１３２上の相補的嵌合構造１６２内に収容されるように構成された雄形係合構造物１６０を含む。図示された係合構造物１６０，１６２は、面を互いに対して回転させることによって適所にロックするように構成される。後方部分１０６を前方アダプタ部分１０４から外す機能は、装置の携帯性と収納性を改善すると同時に後方部分が破損する可能性も低減できる。調整ねじ１２０は、図５に示されたように、レンズホルダ１１２を折り畳むように調整されうる。調整ねじ１２０は、また、図５に示されたように、テレスコープ式シャフト１１８をベースシャフト１１６に対して後退させるように調整されうる。
【００５６】
カメラ１３４とレンズ１１０の間の軸方向の長さは、テレスコープ式シャフト１１８をベースシャフト１１６に対して移動させて所望の距離を達成することによって調整されうる。軸方向の長さは、カメラ１３４が網膜の所望の画像を記録できるまで調整されうる。前方アダプタ部分本体１３２のｘ軸１５４に沿った水平位置は、カメラ１３４の光学軸１５０をレンズ１１０と合わせる。
【００５７】
図６乃至図９は、アダプタ１００の前方アダプタ部分１０４の様々な図を示す。アダプタ１００は、前方アダプタ部分１０４とハンドヘルドコンピュータ装置１０２の間の３点接続によって、ハンドヘルドコンピュータ装置１０２に確実に保持されうる。調整可能な水平クランプ１３０は、第１のクランプ面１７０と第２のクランプ面１７２によって、ハンドヘルドコンピュータ装置１０２に確実に留まるようにばね加圧されうる。前方アダプタ部分本体１３２を調整可能な水平クランプ１３０に対して移動させることにより、カメラ１３４に対するレンズ１４０と光源１４２の最適な位置決めが可能である。図９は、様々なハンドヘルドコンピュータ装置カメラ位置に対応する為に第３の係合面１３８がｙ軸１５６に沿ってどのように移動できるかを示す。
【００５８】
図１０乃至図１１は、マクロレンズ１４０がカメラ１３４の光学軸１５０から外れた状態のハンドヘルドコンピュータ装置に取り付けられたアダプタの正面図を示す。テレスコープ区間の長さは、図１０乃至図１１では、図１に示された構成より短い。
【００５９】
図１２は、幾つかの実施形態によるハンドヘルドコンピュータ装置１０２に取り付けられたアダプタの背面図である。ハンドヘルドコンピュータ装置１０２のディスプレイ側が図１２に示される。図１３は、アダプタ１００の側面図である。
【００６０】
図１４は、幾つかの実施形態によるハンドヘルドコンピュータ装置１０２に取り付けられたアダプタの正面図である。図１４は、後方部分１０６のベース区間１１６とテレスコープ区間１１８の間の相対運動を固定する為に使用されうるテレスコープ区間ロック機構１１７を示す。ダイヤル１４４は、光源の輝度を調整し制御するように適応される。図１５乃至図２１は、アダプタ１００の追加の図を示す。
【００６１】
図２２は、幾つかの実施形態による、ハンドヘルドコンピュータ装置１０２と係合されたアダプタと、省略可能な可逆的に取り付けられた光学経路筐体２００の側面図を示す。筐体アダプタ２００は、互いに対して移動して後方部分のテレスコープ区間と共に動くように構成された第１の部分２０２と第２の部分２０４とを有する。筐体アダプタ２００は、テレスコープ区間及びアダプタの基部と係合するように構成された第１のクランプ２０８と第２のクランプ２１０を含む。筐体アダプタ２００は、ハンドヘルドコンピュータ装置のカメラ１３４と係合するように構成された後部２０６を含む。筐体アダプタ２００は、外部光を遮断して、後方部分を使用して取得された画像の品質を改善できる。図２３は、本明細書で述べるアダプタによって作成されうる例示的な断面図を示す。断面図は、筐体アダプタ２００、検眼レンズ１１０、レンズホルダ１１２及び網膜２１１を示す。網膜２１１の画像は、カメラ１３４によって取得されうる。
【００６２】
図２４Ａと図２４Ｂは、幾つかの実施形態によるアダプタ１００と係合された光学経路筐体アダプタ３００の図を示す。図２４Ｃと図２４Ｄは、光学経路筐体アダプタ３００の断面図と分解図である。筐体アダプタ３００は、検眼レンズ１１０とハンドヘルドコンピュータ装置のカメラ１３４の間の光学経路から外部光を遮るように構成される。筐体アダプタ３００は、第１の部分３０２と第２の部分３０４を有する。省略可能な第３の部分３０６は、検眼レンズ１１０からの外部光の付加的遮断を提供する為に使用されうる。筐体アダプタ３００は、テレスコープ区間１１８及び／又はベース区間１１６と取り外し可能に係合する為のクリップ３０８を含む。第１の部分３０２と第２の部分３０４は、互いに対して摺動し、それにより、第１の部分３０２と第２の部分３０４の長さは、ポスター部分１０６の長さと一致するように調整されうる。第１の部分３０２は、第１の部分３０２と第２の部分３０４の間の軸方向運動を制限する停止部３１０を有する。第１の部分は、ハンドヘルドコンピュータ係合面３１４を有する裏カバー部分３１２と、ハンドヘルドコンピュータ装置の光源１４２とカメラ１３４に対応する開口とを有する。第２の部分３０４は、筐体３００の第２の部分３０４内にレンズ１１０を保持する為に、レンズホルダ１１２の一部と係合し収容する溝３１８を有する。図２４Ａ乃至図２４Ｂは、カメラ１３４の光学軸から外れたマクロレンズ１４０とレンズホルダ１４３を示す。
【００６３】
図２５Ａと図２５Ｂは、第３の係合構造物の代替構成を有する前方アダプタ１００の追加の実施形態を示す。示された第３の係合構造物１３８’は、ハンドヘルドコンピュータ装置に対するアダプタのｙ軸１５６に沿った動きに対応して、カメラの光学軸をマクロレンズ１４０又は検眼レンズ１１０の光学軸と合わせる為に、異なる長さを有する。アダプタ１００は、複数のサイズの第３の係合構造物１３８／１３８’を有し、それにより、エンドユーザは、ハンドヘルドコンピュータ装置のカメラ位置に基づいて適切な幾何学形状を有する第３の係合構造物１３８／１３８’と取り外し可能に係合できる。図２５Ｃ乃至図２５Ｅは、それぞれ様々な幾何学形状を有する第３の係合構造物１８０、１８２及び１８４を示す。本明細書に述べるアダプタは、ハンドヘルドコンピュータ装置１０２のカメラ１３４の幾何学形状と位置に基づいて、前方アダプタ１０４と取り外し可能に係合されうる複数の幾何学形状の第３の係合構造物を有しうる。
【００６４】
図２５Ｆは、ハンドヘルドコンピュータ装置１０２と係合する為のねじ１８７、つまみ１８８及び柔軟パッド１８９を有する調整可能な係合構造物を備えた第３の係合構造物１８６を示す。図２５Ｇは、ハンドヘルドコンピュータ装置１０２と係合する為のばね１９１、脱着容易シャフト１９２、脱着容易レバー１９３及びパッド１９４を有する調整可能な係合構造物を有する第３の係合構造物１９０を示す。幾つかの実施形態では、図２５Ｆ乃至図２５Ｇに示された調整可能な第３の係合構造物１８６，１９０は、他の実施形態で使用されるクランプ１３０及び第３の係合構造物１３８の代わりに使用されうる。したがって、この代替構成では、単一接触点を使用して、前方アダプタ部分１０４をハンドヘルドコンピュータ装置１０２に固定できる。
【００６５】
図２６Ａと図２６Ｂはそれぞれ、幾つかの実施形態による取り外し可能なビームスプリッタモジュール４００の外観と断面図を示す。図２６Ｃと図２６Ｄはそれぞれ前方アダプタ１０４から分離され係合された、幾つかの実施形態によるビームスプリッタモジュール４００を示す。ビームスプリッタモジュール４００は、外部ハウジング４０２、開口４０４及び光源開口４０６を含む。調整可能光源１４２から放射された光は、光源開口４０６を通り光路４０８に沿ってビームスプリッタモジュール４００に入り、カメラ１３４の光学軸１５０と共軸になるようにミラー４１０で反射される。ビームスプリッタモジュール４００は、また、光路４０８に沿って偏光フィルタ４１４、偏光ホルダ４１５及びピンホール４１６を含みうる。ビームスプリッタは、また、調整可能光源１４２から放射された光の光路４０８を更に修正する省略可能なレンズ４１２を含みうる。一例では、省略可能なレンズ４１２は、光を円形に集束できる。ビームスプリッタモジュール４００は、また、カメラ１３４に隣接した偏光フィルタ４１８を含みうる。図２６Ｃと図２６Ｄに示された前方アダプタ１０４は、クランプ１３０の主軸の方向に光を放射する光源１４２を有する。この実施形態では、前方アダプタ内の光源は、光がビームスプリッタモジュール４００の側面に横方向に放射されるように向けられる。ビームスプリッタモジュール４００は、前方アダプタ１０４が、拡大されていない眼の瞳孔を通してカメラ１３４で撮像することを可能にし、それにより、患者の網膜の直像検眼法が可能になる。
【００６６】
図２６Ｅと図２６Ｆは、前方アダプタ１０４の本体１３２に直角に光源１４２から光を受け取るように適応されたビームスプリッタモジュール４５０の別の実施形態を示す。取り外し可能なビームスプリッタモジュール４５０は、幾つかの実施形態ではヒンジ１４１と取り外し可能に係合できる４５２及びヒンジ又は旋回軸４５４を含む。取り外し可能なビームスプリッタモジュール４５０は、ヒンジ又は旋回軸４５４のまわりに回転して、取り外し可能なビームスプリッタモジュール４５０を調整可能光源１４２の隣又は光源の光学経路の外に位置決めできる。取り外し可能なビームスプリッタモジュール４５０は、光を経路４５８に沿って第２のミラー４６０の方に反射させる第１のミラー４５６を含む。光が第２のミラー４６０で反射した後、光路４５８は、ハンドヘルドコンピュータ装置１０２のカメラ１３４の光学経路１５０と同軸である。取り外し可能なビームスプリッタは、光路４５８がハンドヘルドコンピュータ装置のカメラ１３４の光学経路１５０と共軸になるように、光路４５８がモジュールを出る為の開口４６０を有する。取り外し可能なビームスプリッタは、カメラ１３４の隣りに位置決めされるように適応された開口４６２を含む。
【００６７】
図２７Ａは、ビームスプリッタモジュール５００の一実施形態と係合された前方アダプタを示す。ビームスプリッタモジュール５００は、第１のミラー５０２と第２のミラー５０４を含む。ビームスプリッタモジュール５００は、前方アダプタと取り外し可能に係合でき、その結果、前方アダプタ部分の光源１４２は、ハンドヘルドコンピュータ装置１０２のカメラ１３４の光学軸１５０と一致して経路５１０に沿って向けられる。ビームスプリッタモジュール５００は、光源１４２の光学経路及び／又はカメラ１３４の光学経路に沿った省略可能な偏光フィルタを含みうる。
【００６８】
図２７Ｂは、前方アダプタの光源１４２から光を斜めに導く為に、細隙灯６０２を含むスリットビームモジュール６００の実施形態と係合された前方アダプタを示す。
【００６９】
図２７Ｃは、光ビームコリメーション又は集束モジュール６５０の実施形態と係合された前方アダプタを示す。コリメーションモジュール６５０は、前方アダプタと取り外し可能に係合できる。コリメーションモジュール６５０は、光源１４２から光を導いて光を光路６５４に集中させる光コリメート素子６５２を含む。
【００７０】
図２７Ｄは、マスクモジュール６８０の実施形態と係合された前方アダプタを示す。マスクモジュール６８０は、ユーザがカメラ１３４をマクロレンズ１４０及びアダプタの光学経路と合わせるのに役立つ。マスクモジュール６８０は、ユーザがカメラ１３４を位置合わせする小さいアパーチャを含む前方アダプタ部分の拡張である。
【００７１】
図２８Ａ乃至図２８Ｄは、本明細書で述べるアダプタと共に使用できる複数のレンズを有するモジュールの実施形態を示す。図２８Ａと図２８Ｃは、小アパーチャレンズ７０２、大アパーチャレンズ７０４、細隙灯７０６及び青色フィルタ７１０を有するモジュール７００を示す。モジュール７００は、ｙ軸１５６に沿って移動して、所望の小アパーチャレンズ７０２、大アパーチャレンズ７０４、細隙灯７０６又は青色フィルタ７１０を光源１４２の前に位置決めできる。図２８Ｂと図２８Ｄは、小アパーチャレンズ７０２、大アパーチャレンズ７０４、細隙灯７０６及び青色フィルタ７１０を含む円形状を有するモジュール７０１を示す。モジュール７０１は、所望の小アパーチャレンズ７０２、大アパーチャレンズ７０４、細隙灯７０６又は青色フィルタ７１０を光源１４２の前に位置決めする為に回転されうる。モジュール７００，７０１は、取り外し可能でよい。
【００７２】
図２９Ａは、一体テレスコープ式光学経路筐体を有する後方部分８００を備えたアダプタ１０４を示す。後方部分８００は、頭上又は周囲光からの付加的な保護機能を追加する第１区間８０２、第２区間８０４、及び省略可能なひさし８０６を有する。第２区間は、検眼レンズ１１０を取り外し可能に収容してもよく、第２区間８０４に組み込まれた検眼レンズ１１０を備えてもよい。第２区間８０４は、第１区間８０２に対して移動して、前方アダプタ１０４と検眼レンズ１１０（図示せず）の間の長さを調整できる。図示された後方部分８００は、前方アダプタ１０４と取り外し可能に係合するように構成された接続要素８０８を含む。図示された後方部分８００は、後方部分８００を前方アダプタ１０４に対して固定する磁石を含む。磁石は、後方部分８００を、前方アダプタ１０４と、適切な光学的位置合わせを容易にする後方部分８００と前方アダプタ１０４の一方又は両方上の省略可能な溝で係合させ合わせるように設計されうる。
【００７３】
図２９Ｂは、一体テレスコープ式光学経路筐体を有する後方部分９００を備えたアダプタ１０４を示す。後方部分９００は、第１区間９０２、第２区間９０４及び省略可能な筐体９０６を含む。第２区間は、検眼レンズ１１０を取り外し可能に収容してもよく、第２区間９０４に組み込まれた検眼レンズ１１０（図示せず）を備えてもよい。第２区間９０４は、第１区間９０２に対して移動して、前方アダプタ１０４と検眼レンズ１１０の間の長さを調整できる。図示された後方部分９００は、前方アダプタ１０４と取り外し可能に係合するように構成された接続要素９０８を含む。図示された接続要素９０８は、相補的嵌合構造物１６２などの相補的構造物によって取り外し可能に収容できる基部を含む。
【００７４】
図３０Ａ乃至図３０Ｄ、図３１Ａ乃至図３１Ｂ、図３２Ａ乃至図３２Ｂ及び図３３Ａ乃至図３３Ｃは、本明細書に記述されたアダプタ２００の実施形態の追加の図を示す。アダプタ２００は、前方アダプタ部分２０４と、取り外し可能に係合できる後方部分２０６を含む。アダプタ２００は、アダプタ１００に概略類似しているが、基部２３２の形状及びアダプタ２００の他の特徴に対する幾つかの修正を有する。前方アダプタ部分本体２３２は、図示された調整ねじなどのロック機構２３６によって水平クランプ２３０に対して固定されうる。水平クランプ２３０は、ハンドヘルドコンピュータ装置１０２と係合するように適応された第１のクランプ面２７０と第２のクランプ面２７２を含む。図示されたアダプタ２００は、ハンドヘルドコンピュータ装置２００を前方アダプタ部分２０４と面一に保持する為に、フック型構成で示された第３の係合面又は垂直接触点２３８を含む。図示された前方アダプタ部分２０４は、また、マクロレンズ２４０、マクロレンズホルダ２４３、レンズホルダヒンジ２４１、光源２４２及び光源ダイヤル操作部２４４を有する。図示された光源２４２は、ＬＥＤである。レンズホルダ２４３は、他のタイプのレンズを収容するように適応されうる。前方アダプタ部分２０４は、バッテリ扉２４５、バッテリ室２４６及びバッテリ扉ヒンジ２４７を含む。図３１Ａ乃至図３１Ｂは、バッテリ扉２４５を、バッテリ室２４６を示す開位置で示す。
【００７５】
後方部分２０６は、レンズ１１０（検眼レンズなど）とレンズホルダ２１２を含む。後方部分２０６は、後方部分２０６の長さを修正する為に互いに対して移動するように構成されたベースシャフト２１６とテレスコープ式シャフト（後退位置に示された）を含みうる。調整ねじ２２０は、また、幾つかの実施形態では、ベースシャフト２１６に対するテレスコープ式シャフトの動きをロックするように構成されうる。蝶ねじとして示されたテレスコープ区間ロック機構２１７は、後方区間２０６の長さを調整し、ベースシャフト２１６とテレスコープ区間の間の相対運動を制限する為に使用されうる。図示された後方部分２０６は、４本のプロングと共に示された雄形係合構造物２６０を含む。雄形係合構造物は、前方アダプタ部分２０４の相補的な雌形嵌合構造物２６２と係合するように構成される。プロングは、相補的構造物と係合し、回転されて所定位置にロックされうる。
【００７６】
特徴又は要素が、本明細書で別の特徴又は要素「上（on）」にあるように言及されるとき、その特徴又は要素は、他の特徴又は要素のすぐ上にあってもよく、介在する特徴及び／又は要素が存在してもよい。これと対照的に、特徴又は要素が、別の特徴又は要素の「直接上に（directly on）」あるように言及されるときは、介在する特徴も要素もない。また、特徴又は要素が、別の特徴又は要素に「接続され（connected）」、「取り付けられ（attached）」又は「結合される（coupled）」ように言及されるとき、その特徴又は要素は、他の特徴又は要素に直接接続され、取り付けられ、又は結合されてもよく、介在する特徴又は要素が存在してもよいことを理解されたい。これと対照的に、特徴又は要素が、他の特徴又は要素に「直接接続され」、「直接取り付けされ」又は「直接結合される」ように言及されるとき、介在する特徴又は要素は存在しない。一実施形態に関連して記述されるか示されたが、そのように記述されるか示された特徴及び要素は、他の実施形態に適用できる。また、別の特徴に「隣接（adjacent）」して配置された構造又は特徴の言及は、隣接する特徴の上又は下に重なる部分を有しうることが当業者によって理解されるであろう。
【００７７】
本明細書で使用される用語は、単に特定の実施形態を記述する為のものであり、発明を限定するものではない。例えば、本明細書で使用されるとき、単数形「ａ」、「ａｎ」及び「ｔｈｅ」は、文脈で明確に示さない限り、複数形も含む。更に、用語「含む（comprise）及び／又は「含む（comprising）」は、本明細書で使用されるとき、言及された特徴、ステップ、操作、要素及び／又は構成要素の存在を示すが、１つ以上の他の特徴、ステップ、操作、要素、構成要素、及び／又はそのグループの存在又は追加を妨げないことを理解されたい。本明細書で使用されるとき、用語「及び／又は（and/or）」は、関連した列挙項目の１つ以上のいずれか及び全てを含み、「／」と短縮されうる。
【００７８】
「の下（under）」、「の下（below）」、「下側（lower）」、「の上（over）」、「上側（upper）」などの空間相対的な用語は、本明細書では、図に示されたようなある要素又は特徴の別の要素又は特徴に対する関係を記述し易くする為に使用されうる。空間相対的な用語が、図に描かれた向きに加えて、使用又は操作での装置の様々な向きを包含するものであることを理解されよう。例えば、図内の装置が逆さにされた場合、他の要素又は特徴の「下（under）」又は「より下（beneath）」として示された要素は、他の要素又は特徴の「上（over）」に向けられる。したがって、例示的用語「下（under）」は、上と下の両方の向きを含みうる。装置は、違ったふうに向けられてもよく（９０度回転されるか他の向き）、本明細書で使用される空間相対的な記述子は、それに応じて解釈される。同様に、用語「上方（upwardly）」、「下方（downwardly）」、「垂直（vertical）」、「水平（horizontal）」などは、本明細書では、特に示されない限り、説明の為のみに使用される。
【００７９】
用語「第１（first）」及び「第２（second）」は、本明細書では、種々の特徴／要素について言及する為に使用されうるが、これらの特徴／用語は、文脈で特に示さない限り、これらの用語によって限定されるべきでない。これらの用語は、１つの特徴／要素を別の特徴／要素と区別する為に使用されうる。したがって、本発明の教示から逸脱することなく、後述される第１の特徴／要素は、第２の特徴／要素と呼ばれることがあり、同様に、後述される第２の特徴／要素は、第１の特徴／要素と呼ばれることがある。
【００８０】
実施例での使用を含む明細書と特許請求の範囲で使用されるとき、特に明確に指定されない限り、全ての数は、用語が明確に現れない場合でも、語「約（about）」又は「約（approximately）」によって前置されたかのように読まれうる。語句「約（about）」又は「約（approximately）」は、大きさ及び／又は位置について述べるときに、記述される値及び／又は位置が値及び／又は位置の妥当な予想範囲内にあることを示す為に使用されうる。例えば、数値は、表示値（又は値の範囲）の＋／−０．１％、表示値（又は値の範囲）の＋／−１％、表示値（又は値の範囲）の＋／−２％、表示値（又は値の範囲）の＋／−５％、表示値（又は値の範囲）の＋／−１０％などの値を有しうる。本明細書に列挙される任意の数値範囲は、包含される全てのサブ範囲を含む。
【００８１】
以上、様々な実例となる実施形態について述べたが、特許請求の範囲に記載されたような本発明の範囲から逸脱することなく、様々な実施形態に対して幾つかの変更のいずれも行いうる。例えば、様々な記載された方法ステップが実行される順序は、代替実施形態でしばしば変更されてもよく、他の代替実施形態では、１つ以上の方法ステップが全体的に省略されてもよい。様々な装置及びシステム実施形態の省略可能な特徴は、幾つかの実施形態に含まれ、他の実施形態では含まれないことがある。したがって、以上の説明は、本質的に例示の為に提供され、特許請求の範囲に示されたときに本発明の範囲を限定すると解釈されるべきでない。
【００８２】
本明細書に含まれる例と図は、内容が実施されうる特定の実施形態を、限定ではなく説明として示す。言及されたように、他の実施形態を利用し導出でき、その結果、本開示の範囲から逸脱することなく構造的及び論理的な代用及び変更が可能である。発明内容のそのような実施形態は、本明細書では、単に便宜の為にまた本出願の範囲を単一の発明又は発明概念に自発的に限定することなく（実際に複数が開示された場合）、用語「発明」によって個別又は集合的に言及されうる。したがって、本明細書で特定の実施形態を例示し記述したが、同じ目的を達成するように意図された構成が、示された特定の実施形態に代用されうる。この開示は、様々な実施形態の全ての順応又は変形を含むものである。以上の実施形態の組み合わせ、及び本明細書に具体的に記載されていない他の実施形態は、以上の説明を検討するときに当業者に明らかになる。
【符号の説明】
【００８３】
１００  アダプタ
１０２  ハンドヘルドコンピュータ装置
１０４  前方アダプタ部分
１０６  後方部分
１０８  基部
１１０  レンズ
１１２  レンズホルダ
１１４  ヒンジ
１１６  ベースシャフト
１１８  テレスコープ式シャフト
１２０  止めねじ、調整ねじ
１３０  水平クランプ
１３２  前方アダプタ部分本体
１３４  カメラ
１３６  ロック機構
１３８  第３の係合面
１４０  マクロレンズ
１４１  レンズホルダヒンジ
１４２  光源
１４３  マクロレンズホルダ
１４４  光源ダイヤル操作部
１５０  光学軸
１５４  ｘ軸
１５６  ｙ軸
１６２  相補的嵌合面
【図１】
2018528483.tif 000003
【図２】
2018528483.tif 000004
【図３】
2018528483.tif 000005
【図４】
2018528483.tif 000006
【図５】
2018528483.tif 000007
【図６】
2018528483.tif 000008
【図７】
2018528483.tif 000009
【図８】
2018528483.tif 000010
【図９】
2018528483.tif 000011
【図１０】
2018528483.tif 000012
【図１１】
2018528483.tif 000013
【図１２】
2018528483.tif 000014
【図１３】
2018528483.tif 000015
【図１４】
2018528483.tif 000016
【図１５】
2018528483.tif 000017
【図１６】
2018528483.tif 000018
【図１７】
2018528483.tif 000019
【図１８】
2018528483.tif 000020
【図１９】
2018528483.tif 000021
【図２０】
2018528483.tif 000022
【図２１】
2018528483.tif 000023
【図２２】
2018528483.tif 000024
【図２３】
2018528483.tif 000025
【図２４−１】
2018528483.tif 000026
【図２４−２】
2018528483.tif 000027
【図２５−１】
2018528483.tif 000028
【図２５−２】
2018528483.tif 000029
【図２５−３】
2018528483.tif 000030
【図２５−４】
2018528483.tif 000031
【図２６−１】
2018528483.tif 000032
【図２６−２】
2018528483.tif 000033
【図２６−３】
2018528483.tif 000034
【図２６−４】
2018528483.tif 000035
【図２７】
2018528483.tif 000036
【図２８−１】
2018528483.tif 000037
【図２８−２】
2018528483.tif 000038
【図２９】
2018528483.tif 000039
【図３０−１】
2018528483.tif 000040
【図３０−２】
2018528483.tif 000041
【図３１−１】
2018528483.tif 000042
【図３１−２】
2018528483.tif 000043
【図３２−１】
2018528483.tif 000044
【図３２−２】
2018528483.tif 000045
【図３３−１】
2018528483.tif 000046
【図３３−２】
2018528483.tif 000047
【図３３−３】
2018528483.tif 000048
【国際調査報告】
2018528483.tif 000049
2018528483.tif 000050